(57)【要約】      （修正有）【課題】モニタ装置の電源をオフにしても、カメラ付玄関子機の警報表示灯回路を点滅できるようにする。【解決手段】セキュリティインターホン装置３と、セキュリティインターホン装置と接続されカメラ付玄関子機からの映像を映し出すモニタ装置２とを備え、セキュリティセンサからの警報発報時に、セキュリティインターホン装置からの警報音を、モニタ装置を介してカメラ付玄関子機の子機スピーカ１８から放音するとともに、カメラ付玄関子機に内蔵される警報表示灯回路１９を点滅させることにより警報が発報したことを外部に報知するにあたり、セキュリティセンサの非発報時にはカメラ付玄関子機、モニタ装置、セキュリティインターホン装置間の映像・通話ラインとして使用し、警報発報時にはカメラ付玄関子機とセキュリティインターホン装置間の映像・通話ラインを警報音送出ラインとして使用する共有化ラインＬ１、Ｌ２を備えている。【選択図】図１
2005217726.tif 000002
【特許請求の範囲】
【請求項１】
玄関に設置されるカメラ付玄関子機（１）と、居室に設置され前記カメラ付玄関子機との呼出・通話を行なうとともにセキュリティセンサ（４）に接続されたセキュリティインターホン装置（３）と、前記セキュリティインターホン装置と接続され前記カメラ付玄関子機からの映像を映し出すモニタ装置（２）とを備え、
前記セキュリティセンサからの警報発報時に、前記セキュリティインターホン装置からの警報音を前記モニタ装置を介して前記カメラ付玄関子機のスピーカ（１８）から放音するとともに、前記カメラ付玄関子機に内蔵される警報表示灯回路（１９）を点滅させることにより警報が発報したことを外部に報知するにあたり、
前記セキュリティセンサの非発報時には前記カメラ付玄関子機、前記モニタ装置、前記セキュリティインターホン装置間の映像・通話ラインとして使用し、前記警報発報時には前記カメラ付玄関子機と前記セキュリティインターホン装置間を接続し前記映像・通話ラインを警報音送出ラインとして使用する共有化ライン（Ｌ１、Ｌ２）を備えたことを特徴とするセキュリティインターホンシステム。
【請求項２】
前記モニタ装置の電源がＯＦＦの状態において、前記カメラ付玄関子機と前記セキュリティインターホン装置間を接続して前記共有化ラインを警報音送出ライン（Ｌ１、Ｌ２）として使用することを特徴とする請求項１記載のセキュリティインターホンシステム。
【請求項３】
前記カメラ付玄関子機と前記セキュリティインターホン装置間の接続にあたり、前記モニタ装置をバイパスして前記共有化ラインを接続するための切替器（２９ａ、２９ｂ）を備えたことを特徴とする請求項１記載のセキュリティインターホンシステム。
【発明の詳細な説明】
【技術分野】
【０００１】
本発明は、セキュリティインターホンシステムに係わり、特に警報表示灯回路を内蔵するカメラ付玄関子機、カメラ付玄関子機で撮像された映像を映し出すモニタ装置およびセキュリティセンサを備えたセキュリティインターホンシステムに関する。
【背景技術】
【０００２】
従来から、この種のセキュリティインターホンシステムとして、カメラによって撮影した映像信号を接続線に出力するとともに駆動電源を接続線から得るカメラ付玄関子機と、映像信号を入力しカメラ付玄関子機で撮影された映像を映し出すとともにカメラ付玄関子機に電源を供給するモニタ装置と、煙感知器等のセキュリティセンサから警報信号を入力して警報音発生等を行うセキュリティ機能を有するセキュリティインターホン装置とを備えて成るものが知られている（例えば、特許文献１参照）。
【０００３】
このようなセキュリティインターホンシステムにおいては、カメラ付玄関子機にモニタ装置の電源回路から電源供給を受ける通話・警報音送出回路が内蔵されている。従って、従来のセキュリティインターホンシステムにおいては、モニタ装置の電源回路がオフに設定されている場合には、カメラ付玄関子機から警報音が出力されないという難点があった。
【０００４】
【特許文献１】特開平１０−１０８１６７号公報（段落番号「００９」、図１）
【発明の開示】
【発明が解決しようとする課題】
【０００５】
本発明は、上述の難点を解消するためになされたもので、モニタ装置の電源回路がオフに設定されていても、カメラ付玄関子機から警報音発生等を行うことができるセキュリティインターホンシステムを提供することを目的としている。
【課題を解決するための手段】
【０００６】
本発明の第１の態様であるセキュリティインターホンシステムは、玄関に設置されるカメラ付玄関子機と、居室に設置されカメラ付玄関子機との呼出・通話を行なうとともにセキュリティセンサに接続されたセキュリティインターホン装置と、セキュリティインターホン装置と接続されカメラ付玄関子機からの映像を映し出すモニタ装置とを備え、セキュリティセンサからの警報発報時に、セキュリティインターホン装置からの警報音をモニタ装置を介してカメラ付玄関子機のスピーカから放音するとともに、カメラ付玄関子機に内蔵される警報表示灯回路を点滅させることにより警報が発報したことを外部に報知するにあたり、セキュリティセンサの非発報時にはカメラ付玄関子機、モニタ装置、セキュリティインターホン装置間の映像・通話ラインとして使用し、警報発報時にはカメラ付玄関子機とセキュリティインターホン装置間を接続し映像・通話ラインを警報音送出ラインとして使用する共有化ラインを備えたものである。
【０００７】
本発明の第２の態様は、本発明の第１の態様であるセキュリティインターホンシステムにおいて、モニタ装置の電源がＯＦＦの状態において、カメラ付玄関子機とセキュリティインターホン装置間を接続して共有化ラインを警報音送出ラインとして使用するものである。
【０００８】
本発明の第３の態様は、本発明の第１の態様であるセキュリティインターホンシステムにおいて、カメラ付玄関子機とセキュリティインターホン装置間の接続にあたり、モニタ装置をバイパスして共有化ラインを接続するための切替器を備えたものである。
【発明の効果】
【０００９】
本発明の第１の態様乃至第３の態様のセキュリティインターホンシステムによれば、モニタ装置に第１、第２の切替器が内蔵されていることから、共有化ラインをセキュリティセンサの非発報時にはカメラ付玄関子機、モニタ装置、セキュリティインターホン装置間の映像・通話ラインとして使用し、警報発報時にはカメラ付玄関子機とセキュリティインターホン装置間の警報音送出ラインとして使用することができる。従って、本発明の第１の態様乃至第３の態様のセキュリティインターホンシステムによれば、モニタ装置の電源回路をオフに設定しても、カメラ付玄関子機から警報音発生等を行うことができる。
【発明を実施するための最良の形態】
【００１０】
以下、本発明のセキュリティインターホンシステムを適用した実施の形態例について、図面を参照して詳述する。ここで、図１は、本発明のセキュリティインターホンシステムのブロック図を示している。
【００１１】
図１において、本発明のセキュリティインターホンシステムは、玄関に設置され、第１〜第４の子機端子Ｔ１ａ〜Ｔ１ｄを有するカメラ付玄関子機１と、居室に設置され、第１〜第７のモニタ端子Ｔ２ａ〜Ｔ２ｇを有するモニタ装置２と、居室に設置され、第１〜第３の親機端子Ｔ３ａ〜Ｔ３ｃを有するセキュリティインターホン装置３と、セキュリティインターホン装置３の近傍に設置されるセキュリティセンサ４とを備えている。ここで、第１の子機端子Ｔ１ａは第１のラインＬ１を介して第１のモニタ端子Ｔ２ａに、第２の子機端子Ｔ１ｂは第２のラインＬ２を介して第２のモニタ端子Ｔ２ｂに、第３の子機端子Ｔ１ｃは第３のラインＬ３を介して第３のモニタ端子Ｔ２ｃに、第４の子機端子Ｔ１ｄは第４のラインＬ４を介して第４のモニタ端子Ｔ２ｄに、第５のモニタ端子Ｔ２ｅは第５のラインＬ５を介して第１の親機端子Ｔ３ａに、第６のモニタ端子Ｔ２ｆは第６のラインＬ６を介して第２の親機端子Ｔ３ｂに、第７のモニタ端子Ｔ２ｇは第７のラインＬ７を介して第３の親機端子Ｔ３ｃにそれぞれ接続されている。
【００１２】
カメラ付玄関子機１は、カメラ１０、カメラ電源回路１１、ＤＣ通過フィルタ回路１２、呼出回路（以下「子機呼出回路」という。）１３、変調回路１４、通話回路（以下「子機通話回路」という。）１５、マイク（以下「子機マイク」という。）１６、切替リレー等から成る切替器（以下「子機切替器」という。）１７、スピーカ（以下「子機スピーカ」という。）１８および警報表示灯回路１９の各部（回路）を備えている。ここで、子機切替器１７は、第１、第２のコモン接点（以下「子機コモン接点」という。）Ｃ１ａ、Ｃ１ｂ、第１、第２のブレーク接点Ｂ１ａ、Ｂ１ｂ（以下「子機ブレーク接点」という。）および第１、第２のメーク接点（以下「子機メーク接点」という。）Ｍ１ａ、Ｍ１ｂを備えており、第１、第２の子機コモン接点Ｃ１ａ、Ｃ１ｂは子機スピーカ１８に、第１、第２の子機メーク接点Ｍ１ａ、Ｍ１ｂは子機通話回路１５にそれぞれ接続されている。また、第１の子機端子Ｔ１ａは、第１の子機ブレーク接点Ｂ１ａ、ＤＣ通過フィルタ回路１２、子機呼出回路１３、変調回路１４および子機通話回路１５に、第２の子機端子Ｔ１ｂは、第２の子機ブレーク接点Ｂ１ｂ、ＤＣ通過フィルタ回路１２、子機呼出回路１３、変調回路１４および子機通話回路１５に、第３、第４の子機端子Ｔ１ｃ、Ｔ１ｄは警報表示灯回路１９にそれぞれ接続され、子機通話回路１５には子機マイク１６が接続されている。さらに、カメラ１０はカメラ電源回路１１および変調回路１４に接続され、カメラ電源回路１１にはＤＣ通過フィルタ回路１２および子機切替器１７が接続されている。
【００１３】
モニタ装置２は、ＬＣＤ２０、電源回路２１、復調回路２２、子機電源送出回路２３、モニタＣＰＵ２４、通話・警報検出回路２５、呼出検出回路（以下「モニタ呼出検出回路」という。）２６、呼出回路（以下「モニタ呼出回路」という。）２７、音声信号をカメラ付玄関子機１とセキュリティインターホン装置３との間で送受信するための第１、第２のインピーダンス変換回路２８ａ、２８ｂ、切替リレー等から成る第１、第２の切替器（以下「モニタ切替器」という。）２９ａ、２９ｂおよび映像信号を遮断するための第１、第２のコイルＴ１、Ｔ２の各部（回路）を備えている。ここで、第１、第２のインピーダンス変換回路２８ａ、２８ｂは、それぞれ第２のモニタ切替器２９ｂ側からみたインピーダンスが第１のモニタ切替器２９ａ側からみたインピーダンスより小さく設定されている。具体的には、第２のモニタ切替器２９ｂ側からみたインピーダンスが６００Ω程度とされ、第１のモニタ切替器２９ａ側からみたインピーダンスが２０Ω程度とされている。また、第１のモニタ切替器２９ａは第１、第２のコモン接点（以下「モニタコモン接点」という。）Ｃ２ａ、Ｃ２ｂ、第１、第２のブレーク接点（以下「モニタブレーク接点」という。）Ｂ２ａ、Ｂ２ｂおよび第１、第２のメーク接点（以下「モニタメーク接点」という。）Ｍ２ａ、Ｍ２ｂを備えており、第１のモニタコモン接点Ｃ２ａは第１のモニタ端子Ｔ２ａに、第２のモニタコモン接点Ｃ２ｂは第２のモニタ端子Ｔ２ｂに、第１のモニタメーク接点Ｍ２ａは復調回路２２および第１のコイルＴ１の一方側に、第２のモニタメーク接点Ｍ２ｂは復調回路２２および第２のコイルＴ２の一方側にそれぞれ接続され、第１、第２のモニタブレーク接点Ｂ２ａ、Ｂ２ｂは第２のインピーダンス変換回路２８ｂに接続されている。さらに、第２のモニタ切替器２９ｂは第３、第４のコモン接点（以下「モニタコモン接点」という。）Ｃ２ｃ、Ｃ２ｄ、第３、第４のブレーク接点（以下「モニタブレーク接点」という。）Ｂ２ｃ、Ｂ２ｄおよび第３、第４のメーク接点（以下「モニタメーク接点」という。）Ｍ２ｃ、Ｍ２ｄを備えており、第３、第４のモニタメーク接点Ｍ２ｃ、Ｍ２ｄは第１のインピーダンス変換回路２８ａに、第３、第４のモニタブレーク接点Ｂ２ｃ、Ｂ２ｄは第２のインピーダンス変換回路２８ｂに、第５のモニタ端子Ｔ２ｅは第３のモニタコモン接点Ｃ２ｃ、通話・警報検出回路２５およびモニタ呼出回路２７に、第６のモニタ端子Ｔ２ｆは第３のモニタ端子Ｔ２ｃ、第４のモニタコモン接点Ｃ２ｄ、通話・警報検出回路２５およびモニタ呼出回路２７に、第７のモニタ端子Ｔ２ｇは第４のモニタ端子Ｔ２ｃにそれぞれ接続されている。また、モニタＣＰＵ２４は、電源回路２１、子機電源送出回路２３、通話・警報検出回路２５、モニタ呼出検出回路２６、モニタ呼出回路２７および第１、第２のモニタ切替器２９ａ、２９ｂに接続され、電源回路２１にはＬＣＤ２０、復調回路２２、子機電源送出回路２３、通話・警報検出回路２５、モニタ呼出検出回路２６およびモニタ呼出回路２７が接続されている。さらに、第１、第２のコイルＴ１、Ｔ２の他方側は子機電源送出回路２３、モニタ呼出検出回路２６および第１のインピーダンス変換��路２８ａに接続され、モニタ呼出検出回路２６にはモニタ呼出回路２７が接続されている。
【００１４】
セキュリティインターホン装置３は、セキュリティセンサ監視回路３１、警報音送出回路３２、通話回路（以下「親機通話回路」という。）３３、マイク（以下「親機マイク」という。）３４、スピーカ（以下「親機スピーカ」という。）３５、親機ＣＰＵ３６、呼出検出回路（以下「親機呼出検出回路」という。）３７、リレー３８および警報表示回路３９の各部（回路）を備えている。ここで、親機ＣＰＵ３６はセキュリティセンサ監視回路３１、警報音送出回路３２、親機通話回路３３、親機スピーカ３５、親機呼出検出回路３７、リレー３８および警報表示回路３９に接続され、セキュリティセンサ監視回路３１にはセキュリティセンサ４が、親機通話回路３３には親機マイク３４および親機スピーカ３５がそれぞれ接続されている。また、リレー３８はコモン接点（以下「親機コモン接点」という。）Ｃ３、ブレーク接点（以下「親機ブレーク接点」という。）Ｂ３およびメーク接点（以下「親機メーク接点」という。）Ｍ３を備えており、親機コモン接点Ｃ３には第２の親機端子Ｔ３ｂが、親機ブレーク接点Ｂ３には親機呼出検出回路３７が、親機メーク接点Ｍ３には警報表示回路３９がそれぞれ接続されている。さらに、第１の親機端子Ｔ３ａは警報音送出回路３２および親機呼出検出回路３７に接続され、第３の親機端子Ｔ３ｃは警報表示回路３９に接続されている。
【００１５】
次に、このように構成された本発明のセキュリティインターホンシステムの動作について説明する。
【００１６】
まず、待受け時においては、子機切替器１７を構成する第１の子機コモン接点Ｃ１ａが第１の子機ブレーク接点Ｂ１ａ側に、第２の子機コモン接点Ｃ１ｂが第２のブレーク接点Ｂ１ｂ側に、第１のモニタ切替器２９ａを構成する第１のモニタコモン接点Ｃ２ａが第１のモニタメーク接点Ｍ２ａ側に、第２のモニタコモン接点Ｃ２ｂが第２のモニタメーク接点Ｍ２ｂ側に、第２のモニタ切替器２９ｂを構成する第３のモニタコモン接点Ｃ２ｃが第３のモニタメーク接点Ｍ２ｃ側に、第４のモニタコモン接点Ｃ２ｄが第４のモニタメーク接点Ｍ２ｄ側に、リレー３８を構成する親機コモン接点Ｃ３が親機ブレーク接点Ｂ３側にそれぞれ接続されている。これにより、セキュリティインターホン装置３内の親機電源回路（不図示）から、第１、第２の親機端子Ｔ３ａ、Ｔ３ｂ、第５、第６のラインＬ５、Ｌ６、第５、第６のモニタ端子Ｔ２ｅ、Ｔ２ｆ、第２のモニタ切替器２９ｂ、第１のインピーダンス変換回路２８ａ、第１、第２のコイルＴ１、Ｔ２、第１のモニタ切替器２９ａ、第１、第２のモニタ端子Ｔ２ａ、Ｔ２ｂおよび第１、第２のラインＬ１、Ｌ２（以下「第１の電源供給ライン」という。）を経由して第１、第２の子機端子Ｔ１ａ、Ｔ１ｂ間に第１の子機端子Ｔ１ａをプラス側、第２の子機端子Ｔ１ｂをマイナス側とする１２Ｖの電圧が供給される。ここで、カメラ付玄関子機１のカメラ電源回路１１は特定の電圧（例えば１８Ｖ程度）で動作し、この電圧より低い電圧（例えば１２Ｖ程度）では動作しないように設定されていることから、上記の待受け時における電圧（１２Ｖ）ではカメラ電源回路１１は動作しないことになる。
【００１７】
このような状態において、来訪者がカメラ付玄関子機１の呼出ボタン（不図示）を押下すると、子機呼出回路１３から呼出信号が出力され、この呼出信号が第１、第２の子機端子Ｔ１ａ、Ｔ１ｂ、第１、第２のラインＬ１、Ｌ２、第１、第２のモニタ端子Ｔ２ａ、Ｔ２ｂ、第１、第２のコイルＴ１、Ｔ２のライン（以下「第１の呼出ライン」という。）を経由してモニタ呼出検出回路２６に送出される。
【００１８】
かかる呼出信号がモニタ呼出検出回路２６で検出されると、モニタ呼出回路２７から呼出検出信号が出力され、この呼出検出信号が第５、第６のモニタ端子Ｔ２ｅ、Ｔ２ｆ、第５、第６のラインＬ５、Ｌ６および第１、第２の親機端子Ｔ３ａ、Ｔ３ｂのライン（以下「第２の呼出ライン」という。）を経由して親機呼出検出回路３７へ送出され、かかる呼出検出信号が親機呼出検出回路３７で検出されると、親機ＣＰＵ３６の制御により親機スピーカ３５から呼出音が報音される。
【００１９】
また、第１の呼出ラインに送出された呼出信号がモニタ呼出検出回路２６で検出されると、モニタＣＰＵ２４により、電源回路２１が制御され、これにより、電源回路２１からＬＣＤ２０、復調回路２２および子機電源送出回路２３に対して動作電源が供給され、また、子機電源送出回路２３から第１、第２のコイルＴ１、Ｔ２、第１のモニタ切替器２９ａ、第１、第２のモニタ端子Ｔ２ａ、Ｔ２ｂおよび第１、第２のラインＬ１、Ｌ２（以下「第２の電源供給ライン」という。）を経由して第１、第２の子機端子Ｔ１ａ、Ｔ１ｂ間に第１の子機端子Ｔ１ａをプラス側、第２の子機端子Ｔ１ｂをマイナス側とする１８Ｖの電圧が供給される。
【００２０】
ここで、第１、第２の子機端子Ｔ１ａ、Ｔ１ｂ間の電圧が１８Ｖに上昇すると、カメラ電源回路１１が動作し、カメラ電源回路１１からカメラ１０および変調回路１４に動作電源が供給され、また、カメラ電源回路１１の制御により、子機切替器１７を構成する第１、第２の子機コモン接点Ｃ１ａ、Ｃ１ｂがそれぞれ第１、第２の子機メーク接点Ｍ１ａ、Ｍ１ｂ側に切り替えられる。
【００２１】
これにより、カメラ１０によって来訪者の映像が撮像され、撮像された映像は変調回路１４を介してＦＭ変調されたＦＭ映像信号として、第１、第２の子機端子Ｔ１ａ、Ｔ１ｂ、第１、第２のラインＬ１、Ｌ２、第１、第２のモニタ端子Ｔ２ａ、Ｔ２ｂおよび第１のモニタ切替器２９ａのライン（以下「映像ライン」という。）を経由して復調回路２２へ送出される。かかるＦＭ映像信号は、復調回路２２において復調されてＬＣＤ２０へ送出される。これにより、ＬＣＤ２０に来訪者の映像が映し出される。
【００２２】
ここで、居住者が親機スピーカ３５から報音される呼出音およびＬＣＤ２０に映し出される映像に基づいて来訪者を確認し、ハンドセット（不図示）を取り上げて呼出応答すると、カメラ付玄関子機１の有する通話機能（子機マイク１６および子機スピーカ１８）とセキュリティインターホン装置３の有する通話機能（親機マイク３４および親機スピーカ３５）との間に第１の呼出ライン、第１のインピーダンス変換回路２８ａおよび第２の呼出ライン（以下「通話ライン」という。）を介して通話路が形成される。これにより、居住者は来訪者と通話することができる。また、セキュリティインターホン装置３が通話状態に入ると、セキュリティインターホン装置３から通話ラインに対して通話信号が送出され、この通話信号が通話・警報検出回路２５で検出されると、モニタＣＰＵ２４の制御により、通話が終了するまでＬＣＤ２０に来訪者の映像が映し出される。
【００２３】
次に、待受け状態において、煙感知器等のセキュリティセンサ４が動作すると、警報信号がセキュリティセンサ監視回路３１へ送出され、かかる警報信号が親機ＣＰＵ３６で検出されると、親機ＣＰＵ３６の制御によりリレー３８を構成する親機コモン接点Ｃ３が親機メーク接点Ｍ３側に切り替えられる。これにより、セキュリティインターホン装置３内の親機電源回路（不図示）から、第１、第２の親機端子Ｔ３ａ、Ｔ３ｂ、第５、第６のラインＬ５、Ｌ６（以下「第３の電源供給ライン」という。）を経由して第５、第６のモニタ端子Ｔ２ｅ、Ｔ２ｆ間に、第５のモニタ端子Ｔ２ｅをプラス側、第６のモニタ端子Ｔ２ｆをマイナス側とする１２Ｖの電圧が供給される。また、これと共に、親機ＣＰＵ３６から警報表示信号および警報音信号が出力され、前者の警報表示信号が警報表示回路３９へ、後者の警報音信号が警報音送出回路３２へそれぞれ送出される。
【００２４】
また、第３の電源供給ラインに供給された電圧が通話・警報検出回路２５で検出されると、モニタＣＰＵ２４の制御により、第１のモニタ切替器２９ａを構成する第１、第２のモニタコモン接点Ｃ２ａ、Ｃ２ｂがそれぞれ第１、第２のモニタブレーク接点Ｂ２ａ、Ｂ２ｂ側に、第２のモニタ切替器２９ｂを構成する第３、第４のモニタコモン接点Ｃ２ｃ、Ｃ２ｄがそれぞれ第３、第４のモニタブレーク接点Ｂ２ｃ、Ｂ２ｄ側に切り替えられる。これにより、第３の電源供給ラインに供給された電圧が第２のモニタ切替器２９ｂ、第２のインピーダンス変換回路２８ｂ、第１のモニタ切替器２９ａ、第１、第２のモニタ端子Ｔ２ａ、Ｔ２ｂおよび第１、第２のラインＬ１、Ｌ２（以下「警報音送出ライン」という。）を経由して第１、第２の子機端子Ｔ１ａ、Ｔ１ｂ間に第１の子機端子Ｔ１ａをプラス側、第２の子機端子Ｔ１ｂをマイナス側とする１２Ｖの電圧が供給される。ここで、第１、第２の子機端子Ｔ１ａ、Ｔ１ｂ間の電圧は１２Ｖであるから、カメラ電源回路１１が動作しないことになる。
【００２５】
これにより、警報音送出回路３２から送出される警報音信号は警報音送出ラインを経由して子機スピーカ１８へ送出され、子機スピーカ１８から警報音が報音される。また、警報表示回路３９から送出される警報表示信号は、リレー３８、第２、第３の親機端子Ｔ３ｂ、Ｔ３ｃ、第６、第７のラインＬ６、Ｌ７、第６、第７のモニタ端子Ｔ２ｆ、Ｔ２ｇ、第３、第４のモニタ端子Ｔ２ｃ、Ｔ２ｄ、第３、第４のラインＬ３、Ｌ４および第３、第４の子機端子Ｔ１ｃ、Ｔ１ｄのラインを経由して警報表示灯回路１９へ送出される。これにより、警報表示灯回路１９を構成する警報表示灯（不図示）が点滅し、外部に対して異常発生が報知される。
【００２６】
このように構成された本発明のセキュリティインターホンシステムによれば、第１、第２の切替器２９ａ、２９ｂにより、モニタ装置２をバイパスし、第１、第２のラインＬ１、Ｌ２（以下「共有化ライン」という。）を介してカメラ付玄関子機１とセキュリティインターホン装置３間を接続することができることから、共有化ラインＬ１、Ｌ２を、セキュリティセンサ４の非発報時にはカメラ付玄関子機１、モニタ装置２、セキュリティインターホン装置３間の映像・通話ラインとして使用することができ、また、警報発報時には警報音送出ラインＬ１、Ｌ２として使用することができる。従って、本発明のセキュリティインターホンシステムによれば、モニタ装置２の電源がＯＦＦの状態においても、カメラ付玄関子機１から警報音発生等を行うことができる。
【図面の簡単な説明】
【００２７】
【図１】本発明のセキュリティインターホンシステムの一例を示すブロック図。
【符号の説明】
【００２８】
１・・・カメラ付玄関子機
１８・・・スピーカ（子機スピーカ）
１９・・・警報表示灯回路
２・・・モニタ装置
２９ａ、２９ｂ・・・切替器
３・・・セキュリティインターホン装置
４・・・セキュリティセンサ
Ｌ１、Ｌ２・・・共有化ライン（警報音送出ライン）
【図１】
2005217726.tif 000003